(57)【要約】【課題】  着信呼をボタン電話主装置等の電話装置が他の通信端末に転送する場合、転送される着信呼に該当する発信元情報を転送先通信端末に通知し表示する電話システムを提供すると共に、通信端末は通知された発信元情報の履歴から前記電話装置経由で折り返し発信を行う電話システムを提供する。【解決手段】  主装置１に到来した着信呼を電話とデータ通信が可能な通信端末５に転送すると、通信端末５の発信元情報要求送信部５０６は転送された着信呼を検出後に発信元情報要求を主装置１に送信し、主装置１の発信元情報抽出部１１３は前記到来した着信呼の発信元番号および電話帳記憶部１１０を参照して抽出した前記発信元番号に該当する名称を発信元情報として生成し、発信元情報送信部１１４は前記発信元情報を通信端末５に送信し、通信端末５は前記前記発信元情報を発信元情報表示部５０８に表示し発信元情報受信履歴記憶部５１０に記憶する。【選択図】    図１
2017092776.tif 000002
【特許請求の範囲】
【請求項１】
複数の回線を収容し、前記複数の回線のいずれかから到来した着信呼を前記回線のいずれかを介して所定の転送先へ前記着信呼を転送する機能を備える主装置と、前記主装置から転送された着信呼に対して応答するまたは前記着信呼に係る所定の処理を前記主装置へ要求する１以上の通信端末から構成される電話システムであって、
前記主装置は、
発信元およびまたは着信先と対応付けて転送先に係る情報を記憶する転送先情報記憶手段と、前記転送先情報記憶手段を参照して到来した着信を前記通信端末のいずれかへ転送する着信転送手段と、前記到来した着信の発信元に係る情報を抽出する発信元情報抽出手段と、前記転送先の通信端末から前記発信元情報の送信を要求する発信元情報要求を受信する発信元情報要求受信手段と、前記抽出した発信元情報を前記転送先の通信端末へ送信する発信元情報送信手段と、を有し、
前記通信端末は、
前記発信元情報の送信を要求する発信元情報要求を前記主装置へ送信する発信元情報要求送信手段と、前記主装置から前記発信元情報を受信する発信元情報受信手段と、前記受信した発信元情報を表示する発信元情報表示手段と、を有し、
前記回線のいずれかに着信が到来した場合に、前記主装置は、当該着信の発信元または着信先に対応する転送先である前記通信端末へ発信を行い、前記通信端末は前記主装置の発信に対して着信状態になったならば前記発信元情報要求を前記主装置に送信し、前記主装置は当該転送先である前記通信端末からの前記発信元情報要求の受信を監視し、前記発信元情報要求を受信したならば、前記発信元情報を当該転送先である前記通信端末へ送信することを特徴とする発信元情報を通知する電話システム。
【請求項２】
請求項１に記載の電話システムであって、
前記主装置は、前記通信端末の種別を判定する通信端末判定手段をさらに有し、
前記回線のいずれかに着信が到来した場合に、前記通信端末判定手段は、当該着信の発信元または着信先に対応する転送先の通信端末が、前記発信元情報を受信する種別の通信端末であると判定したならば、前記発信元情報を当該転送先へ送信することを特徴とする発信元情報を通知する電話システム。
【請求項３】
請求項１または２に記載の電話システムであって、
前記通信端末は、前記主装置の種別を判定する主装置判定手段をさらに有し、
前記主装置からの着信が到来した場合に、前記主装置判定手段は、前記主装置が前記発信元情報を送信する種別の主装置であると判定したならば、前記発信元情報要求を前記主装置へ送信することを特徴とする発信元情報を通知する電話システム。
【請求項４】
請求項１または２または３に記載の電話システムであって、
前記通信端末は、
前記主装置が収容したいずれかの回線を使用して発信する際に経由先となる前記主装置の電話番号を記憶する発信先電話番号記憶手段と、
前記受信した１以上の発信元情報を記憶する発信元情報受信履歴記憶手段と、
前記発信先電話番号記憶手段に記憶された電話番号の主装置に発信し、前記主装置が一次応答後に前記発信元情報受信履歴手段に記憶されている何れかの発信元情報に該当する番号をプッシュ信号として送出する発信元情報受信履歴発信処理手段と、を更に有し、
前記主装置は、
受信した前記プッシュ信号に該当する番号宛に発信を行い、発信先端末が応答したら前記通信端末と前記発信先端末との通話路を接続する呼制御手段を更に有し、
前記通信端末が受信した発信元情報を使用して前記主装置を経由して折り返し発信することを特徴とする電話システム。
【発明の詳細な説明】
【技術分野】
【０００１】
本発明は、電話の着信呼を携帯電話等の通信端末に転送すると共に当該着信呼の発信元情報を転送先の通信端末に通知する電話システム、並びに転送および発信元情報を受ける通信端末に関する。
【背景技術】
【０００２】
企業等に於いて使用する構内交換機やボタン電話主装置等は複数の内線端末を収容し、内線毎に割り当てた電話番号で特定内線を呼び出す電気通信事業者が提供しているダイヤルインサービスや、追加でプッシュ信号により特定内線を呼び出す追加ダイヤルイン（ダイレクトインダイヤルまたはダイレクトインワードダイヤル、以下、ＤＩＤともいう）が利用されており、また、外出時は特定の内線に到来した着信呼を携帯電話やスマートフォン等の携帯端末に転送する機能も利用されている。
【０００３】
しかしながら、公衆回線（電話回線）を用いる転送機能は、着信呼を転送する構内交換機やボタン電話主装置等が契約している電話番号を発信者番号として転送先の携帯端末に発信するため、元々の発信元（以下、発信元ともいう）が誰なのか知ることができない。
【０００４】
一方、発信元が構内交換機やボタン電話主装置等の内線端末の場合は、前記ダイヤルインサービスで内線毎のダイヤルイン番号を契約することにより、内線端末に対応するダイヤルイン番号を発信者番号として着信先に通知する従来技術も知られており、ダイヤルイン番号により着信先の携帯端末で発信元が誰なのかを知ることができるが、ダイヤルインサービスは有料のため、内線端末が多いとコストがかかり、現実的には全ての内線端末でダイヤルイン番号を契約することは障壁となっている。
【０００５】
これを解決する技術として、公衆回線（電話回線）からの着信呼の転送に関しては、構内交換機が転送先の携帯端末へ当該着信呼の発信元番号を通知し、前記携帯端末に前記送信した発信元番号を表示させる技術が知られている（例えば、特許文献１）。これにより転送先の携帯端末では、該発信元番号を確認でき、当該着信に安心して応答する、または当該着信に着信拒否する等の柔軟な対応を行える。
【０００６】
しかしながら、特許文献１に記載された技術では、構内交換機が、携帯端末への転送に先立ち、公衆回線（電話回線）以外を用いて着信に係る発信元番号を通知するため、転送に用いる外線に空きが無い場合の動作については示唆も開示もなく、転送先の携帯端末が通話中等の理由で転送できない状況でも発信元番号を通知してしまう可能性があった。更に、複数の着信呼が発生したときは、どの着信呼に該当する発信元番号を通知するかに関する動作については示唆も開示もなく、実際に転送する着信呼と異なる発信元番号を通知してしまう可能性があった。
【０００７】
また、構内交換機やボタン電話主装置へ到来した公衆回線（電話回線）からの着信呼の転送でなく、該構内交換機やボタン電話主装置に収容された内線端末からの着信呼を携帯端末に転送する場合の該発信元の内線端末の番号通知に関する動作については示唆も開示もされていない。
【先行技術文献】
【特許文献】
【０００８】
【特許文献１】特開２０１２−１３８６８９号公報
【発明の概要】
【発明が解決しようとする課題】
【０００９】
そこで、本発明の課題は、着信が到来した回線の種類（例えば、内線や外線など）に関係なく着信呼を携帯電話などの通信端末に転送する場合、通信端末に転送した着信呼に該当する発信元情報（電話番号、内線番号、名称、その他の付加情報等）を送信する構内交換機やボタン電話主装置（以下、両者を含めて「主装置」と記載）と、前記発信元情報を受信および表示する転送先の通信端末から成る電話システムを提供することにある。
また、受信した発信元情報を使用して前記主装置を経由して折り返し発信を行う通信端末を提供することにある。
【課題を解決するための手段】
【００１０】
上記課題を解決するために、本発明は、複数の回線を収容し、前記複数の回線のいずれかから到来した着信呼を前記回線のいずれかを介して所定の転送先へ前記着信呼を転送する機能を備える主装置と、前記主装置から転送された着信呼に対して応答するまたは前記着信呼に係る所定の処理を前記主装置へ要求する１以上の通信端末から構成される電話システムであって、前記主装置は、発信元およびまたは着信先と対応付けて転送先に係る情報を記憶する転送先情報記憶手段と、前記転送先情報記憶手段を参照して到来した着信を前記通信端末のいずれかへ転送する着信転送手段と、前記到来した着信の発信元に係る情報を抽出する発信元情報抽出手段と、前記転送先の通信端末から前記発信元情報の送信を要求する発信元情報要求を受信する発信元情報要求受信手段と、前記抽出した発信元情報を前記転送先の通信端末へ送信する発信元情報送信手段と、を有し、前記通信端末は、前記発信元情報の送信を要求する発信元情報要求を前記主装置へ送信する発信元情報要求送信手段と、前記主装置から前記発信元情報を受信する発信元情報受信手段と、前記受信した発信元情報を表示する発信元情報表示手段と、を有し、前記回線のいずれかに着信が到来した場合に、前記主装置は、当該着信の発信元または着信先に対応する転送先である前記通信端末へ発信を行い、前記通信端末は前記主装置の発信に対して着信状態になったならば前記発信元情報要求を前記主装置に送信し、前記主装置は当該転送先である前記通信端末からの前記発信元情報要求の受信を監視し、前記発信元情報要求を受信したならば、前記発信元情報を当該転送先である前記通信端末へ送信することを特徴とする。
【００１１】
また、本発明は、前記電話システムであって、前記主装置は、前記通信端末の種別を判定する通信端末判定手段をさらに有し、前記回線のいずれかに着信が到来した場合に、前記通信端末判定手段は、当該着信の発信元または着信先に対応する転送先の通信端末が、前記発信元情報を受信する種別の通信端末であると判定したならば、前記発信元情報を当該転送先へ送信することを特徴とする。
【００１２】
また、本発明は、前記電話システムであって、前記通信端末は、前記主装置の種別を判定する主装置判定手段をさらに有し、前記主装置からの着信が到来した場合に、前記主装置判定手段は、前記主装置が前記発信元情報を送信する種別の主装置であると判定したならば、前記発信元情報要求を前記主装置へ送信することを特徴とする。
【００１３】
また、本発明は、前記電話システムであって、前記通信端末は、前記主装置が収容したいずれかの回線を使用して発信する際に経由先となる前記主装置の電話番号を記憶する発信先電話番号記憶手段と、前記受信した１以上の発信元情報を記憶する発信元情報受信履歴記憶手段と、前記発信先電話番号記憶手段に記憶された電話番号の主装置に発信し、前記主装置が一次応答後に前記発信元情報受信履歴手段に記憶されている何れかの発信元情報に該当する番号をプッシュ信号として送出する発信元情報受信履歴発信処理手段と、を更に有し、前記主装置は、受信した前記プッシュ信号に該当する番号宛に発信を行い、発信先端末が応答したら前記通信端末と前記発信先端末との通話路を接続する呼制御手段を更に有し、前記通信端末が受信した発信元情報を使用して前記主装置を経由して折り返し発信することを特徴とする。
【発明の効果】
【００１４】
本発明によれば、主装置に到来した着信呼を転送先の通信端末に転送する場合、着信呼に該当する発信者の電話番号または内線番号およびまたは名称を前記転送先の通信端末に表示するため、利用者は適切な着信対応を取れるといった効果がある。また、名称は主装置側から通知を行うため、携帯電話などの各通信端末の電話帳に登録する手間も省略できるという効果もある。
【００１５】
さらに、受信した発信元情報を発信元情報受信履歴として通信端末側に記憶するため、主装置から転送された着信呼に対して応答できなかった場合でも、発信元の相手に対して主装置を経由して折り返し発信を行えるといった効果がある。特に外線発信に関しては、主装置経由のため、相手に通知される発信者番号は相手が発信するときに使用する主装置の電話番号であるため、相手も安心して折り返し発信に応答できるという効果もある。
【図面の簡単な説明】
【００１６】
【図１】本発明の実施形態に係る機能ブロック図
【図２】内線から到来した着信呼を通信端末に転送する場合のシーケンス図
【図３】外線から到来した着信呼を通信端末に転送する場合のシーケンス図
【図４】主装置１の着信呼到来時の処理に関するフローチャート
【図５】通信端末５の着信呼到来時の処理に関するフローチャート
【図６】内線着信呼到来時の通信端末側の発信元情報表示例
【図７】外線着信呼到来時の通信端末側の発信元情報表示例１（番号通知時）
【図８】外線着信呼到来時の通信端末側の発信元情報表示例２（非通知着信時）
【図９】通信端末５の発信元情報受信履歴から発信時の処理に関するフローチャート
【発明を実施するための形態】
【００１７】
以下、図面を用いて本発明の実施形態について説明する。
【００１８】
図１は、本発明に係る電話システムの構成を示す機能ブロック図である。本発明の電話システムは、主装置１と１以上の内線端末２と１以上の通信端末５とで構成される。なお、内線端末２および通信端末５の台数は任意である。
【００１９】
本発明において、主装置１はボタン電話システムにおいて交換処理やシステム全体の制御を行うボタン電話主装置示しているが、電話の転送機能およびデータ通信機能を備えた装置であればよく、例えば、構内交換機（ＰＢＸ）を使用してもよい。また、通信端末５は携帯電話（スマートフォンを含む）を実施例として説明しているが、電話機能およびデータ通信機能を備えた端末であればよく、例えばパーソナルコンピュータ用のソフトフォンやＩＰ電話機などを使用してもよい。
【００２０】
内線端末２、２Ａ、・・・２Ｘは、主装置１に内線端末Ｉ／Ｆ部１０１を介して接続され、通信端末５を転送先として通信端末５と連携することもできる。以降の説明では内線端末２、２Ａ、・・・２Ｘは内線端末２と記載し、特に発信側の内線端末を示す場合は内線端末２Ａ、通信端末５と連携する内線端末を示す場合は内線端末２Ｂと記載する。なお、通信端末５と連携する内線端末２Ｂは、主装置１が管理するために内線番号を割り当てるのが目的であり、実際に端末を主装置１に接続しなくてもよい。
【００２１】
相手端末７と主装置１は、電話網３（アナログ／ＩＳＤＮ等の一般公衆回線やＩＰ電話事業者のＩＰ電話回線等）を介して接続される。
【００２２】
通信端末５、５Ａ、・・・５Ｎ（以降の説明では通信端末５とする）と主装置１は、携帯電話網６および電話網３を介して接続され、更に、通信端末５と主装置１は、データ通信網４を介して接続される。
【００２３】
主装置１は、内線端末Ｉ／Ｆ部１０１、電話網Ｉ／Ｆ部１０２、データ通信網Ｉ／Ｆ部１０３、呼制御部１０４、着信転送処理部１０５、転送先情報記憶部１０６、通信端末固有情報記憶部１０７、発信元番号記憶部１０８、電話帳情報照合部１０９、電話帳記憶部１１０、通信端末判定部１１１、発信元情報要求受信部１１２、発信元情報抽出部１１３、発信元情報送信部１１４から構成される。
【００２４】
内線端末Ｉ／Ｆ部１０１は、主装置１と内線端末２とを接続するためのインタフェースであり、主装置１から内線端末２への各種情報の送信、内線端末２から送信されるキー情報およびコマンドの受信、音声データの送受信を行う機能を有する。
【００２５】
電話網Ｉ／Ｆ部１０２は、電話網３に接続されるインタフェースである。１チャネル以上の外線との通話を行い、アナログ／ＩＳＤＮ等の一般公衆回線やＩＰ電話事業者のＩＰ電話回線等のプロトコルに従って、呼制御情報や音声データの送受信を行う機能を有する。
【００２６】
データ通信網Ｉ／Ｆ部１０３は、インターネット等のデータ通信網４に接続されるインタフェースである。通信端末５との間で通話以外の情報の送受信を行う機能を有する。
【００２７】
呼制御部１０４は、主装置１内の交換処理（内線端末Ｉ／Ｆ部１０１、電話網Ｉ／Ｆ１０２の相互接続等）、内線端末Ｉ／Ｆ部１０１・電話網Ｉ／Ｆ１０２との制御データの送受信、並びに着信転送処理部１０５の指示による着信呼の転送処理、転送先情報記憶部１０６・通信端末固有情報記憶部１０７・発信元番号記憶部１０８・電話帳記憶部１１０へのデータ記憶制御等を行う機能を有する。なお、転送先情報記憶部１０６・通信端末固有情報記憶部１０７・電話帳記憶部１１０に記憶するデータは事前登録が必要であり、内線端末２からのデータ登録専用のコマンド入力や主装置１にＬＡＮ接続したパーソナルコンピュータ（図示せず）により登録されるが、公知であるため詳細説明は省略する。
【００２８】
着信転送処理部１０５は、呼制御部１０４を介して内線端末Ｉ／Ｆ部１０１または電話網Ｉ／Ｆ部１０２から受信した着信呼に関する情報を受信すると、前記着信呼に対する処理が外線への転送であると判断した際に、転送先情報記憶部１０６に記憶されている転送先番号に対する転送を呼制御部１０４に指示する機能を有する。なお、着信呼の外線への転送は、転送電話を設定している外線や電話番号に着信呼が到来した場合や、内線または外線からの着信呼が到来し呼出先が特定の内線であって、当該内線が不在時およびまたは不応答時に外線に転送を行う設定を行っている場合に起動されるが、外線への転送処理に関しては公知であるため詳細説明は省略する。本発明の実施形態では、内線または外線から到来した着信呼を電話網Ｉ／Ｆ部１０２を介して通信端末５に転送する。
【００２９】
転送先情報記憶部１０６は、着信呼が到来した場合に着信転送処理部１０５が外線への転送処理を行う際に必要となる転送先電話番号（本発明の実施形態では通信端末５の電話番号）を記憶する機能を有する。転送電話を設定している外線に着信呼が到来した場合の転送先電話番号は外線単位（複数の外線からなるグループ単位でもよい）で記憶し、主装置１が複数の電話番号の外線を収容している場合は、着信呼到来先の電話番号（着番号）単位（複数の電話番号からなるグループ単位でもよい）で転送先電話番号を記憶する。また、内線着信やダイヤルインやＤＩＤのように着信呼の呼出先が特定の内線の場合は、転送先電話番号は呼出先の内線単位で記憶する。また、更に、同じ外線や電話番号や内線への着信呼であっても、発信元の電話番号によって転送先電話番号を設定するようにしてもよい。
【００３０】
通信端末固有情報記憶部１０７は、発信元情報を送信してもよい通信端末かを判定するため、通信端末５を特定する情報として通信端末５の電話番号および前記通信端末５と連携する内線端末２Ｂの内線番号、並びに前記通信端末５がデータ通信網４経由で主装置１と音声データ以外の通信を行う際に、接続を許可する通信端末を識別する固有の情報（ログインＩＤ、ログインパスワード等）を記憶する機能を有する。
【００３１】
発信元番号記憶部１０８は、主装置１に着信呼が到来した際に前記着信呼の発信元番号を呼制御部１０４を介して記憶する機能を有する。外線に着信呼が到来した場合の発信元番号情報は、外線の種類（アナログ回線／ＩＳＤＮ回線／ＩＰ回線）によって手段は異なるが公知の技術によって受信し、呼制御部１０４に通知される。また、内線から着信呼が到来した場合は、呼制御部１０４が内線端末Ｉ／Ｆ部１０１との通信で発信元内線を判断する。本発明では、発信元情報を転送先の通信端末５に通知する必要があるため、前記発信元番号および前記転送先の通信端末５の電話番号とを対にして記憶する。なお、本発明の実施形態では、通信端末固有情報記憶部１０８に通信端末５を特定する情報として、通信端末５の電話番号および前記通信端末５と連携する内線端末２Ｂの内線番号を記憶しており、前記発信元番号および前記転送先の通信端末５の電話番号とを対にして記憶する代わりに、前記発信元番号および前記転送先の通信端末５と連携する内線端末２Ｂの内線番号とを対にして記憶してもよい。
【００３２】
電話帳情報照合部１０９は、内線端末２が外線や内線に発信する際に電話帳を使って発信先を検索する場合や、内線端末２に着信呼が到来した際に電話番号または内線番号に対応する名称およびまたは付加情報を表示する場合に、呼制御部１０４からの指示により電話帳記憶部１１０を参照し、該当するものを抽出して呼制御部１０４に通知する機能を有する。更に、本発明の実施形態では、電話帳情報照合部１０９は、発信元情報抽出部１１３が発信元番号記憶部１０８から抽出した発信元番号に対応する名称およびまたは付加情報が、電話帳記憶部１１０に記憶されているか照合する場合にも動作し、対応するものがあれば名称およびまたは付加情報を抽出して発信元情報抽出部１１３に通知する機能も有する。
【００３３】
電話帳記憶部１１０は、主装置１に接続された内線端末２が共有するシステムの電話帳であって、外線側の電話番号と対応する名称、並びに内線端末２の内線番号と対応する名称を記憶する機能を有する。更に、付加情報として「特定顧客」や前回の着信履歴（日時や応答／不応答区分）等を記憶してもよい。
【００３４】
通信端末判定部１１１は、通信端末５がデータ通信網４経由で主装置１への接続要求を行う際に、通信端末５から送信される端末を識別する固有の情報（ログインＩＤ、ログインパスワード等）を、通信端末固有情報記憶部１０７に記憶している情報と照合し、接続の許可／不許可の判定を行い、判定結果をデータ通信網Ｉ／Ｆ部１０３を介してデータ通信網４経由で接続要求を行った通信端末５に送信する機能を有する。更に、接続を許可する場合は、通信端末５の電話番号および前記通信端末５と連携する内線端末２Ｂの内線番号の特定を行い、特定した内容を発信元情報要求受信部１１２に通知する機能も有する。
【００３５】
発信元情報要求受信部１１２は、通信端末５がデータ通信網４経由で送信した発信元情報要求をデータ通信網Ｉ／Ｆ部１０３を介して受信する機能を有する。
【００３６】
発信元情報抽出部１１３は、発信元情報要求受信部１１２が受信した発信元情報要求に対して、発信元情報として発信元番号と発信元番号に該当する電話帳に記憶されている名称およびまたは付加情報を抽出し、抽出した発信元情報を発信元情報送信部１１４に通知する機能を有する。発信元情報抽出部１１３は、通信端末判定部１１１が特定した通信端末５の電話番号およびまたは前記通信端末５と連携する内線端末２Ｂの内線番号を、発信元情報要求受信部１１２経由で取得し、前記取得した通信端末５の電話番号およびまたは前記通信端末５と連携する内線端末２Ｂの内線番号と対にして記憶している発信元番号があるか、発信元番号記憶部１０８を参照し、該当する発信元番号があれば当該発信元番号を抽出する。更に、発信元情報抽出部１１３は、発信元番号記憶部１０８から抽出した発信元番号を電話帳情報照合部１０９に通知し、前記抽出した発信元番号に対応する名称およびまたは付加情報が電話帳記憶部１１０に記憶されているかの照合を電話帳情報照合部１０９に対して指示し、該当するものがあれば名称およびまたは付加情報を電話帳情報照合部１０９経由で抽出する。前記抽出した発信元番号と名称およびまたは付加情報は、発信元情報送信部１１４に通知する発信元情報となる。
【００３７】
発信元情報送信部１１４は、発信元情報抽出部１１３から通知された発信元情報を、データ通信網Ｉ／Ｆ部１０３を介してデータ通信網４経由で発信元情報要求を送信した通信端末５に送信する機能を有する。
【００３８】
通信端末５は、携帯電話網Ｉ／Ｆ部５０１、電話機能部５０２、データ通信網Ｉ／Ｆ部５０３、主装置接続用端末情報記憶部５０４、主装置情報記憶部５０５、発信元情報要求送信部５０６、発信元情報受信部５０７、発信元情報表示部５０８、着信応答有無判定部５０９、発信元情報受信履歴記憶部５１０、発信先電話番号記憶部５１１、発信元情報受信履歴発信処理部５１２から構成される。なお、主装置接続用端末情報記憶部５０４、主装置情報記憶部５０５、発信先電話番号記憶部５１１に記憶するデータは事前登録が必要であり、通信端末５のキー入力等により登録されるが、公知であるため詳細説明は省略する。
【００３９】
携帯電話網Ｉ／Ｆ部５０１は、携帯電話網３に接続されるインタフェースであり、携帯電話、スマートフォン等の通信端末が標準で備えている機能である。
【００４０】
電話機能部５０２は、通話を行うためのブロックであり、携帯電話、スマートフォン等の通信端末が標準で備えている機能である。
【００４１】
データ通信網Ｉ／Ｆ部５０３は、インターネット等のデータ通信網４に接続されるインタフェースであり、携帯電話、スマートフォン等の通信端末が標準で備えている機能である。
【００４２】
主装置接続用端末情報記憶部５０４は、通信端末５がデータ通信網４経由で主装置１に接続する際に必要となる、通信端末５を特定する固有の情報（ログインＩＤ、ログインパスワード等）を記憶する機能を有する。
【００４３】
主装置情報記憶部５０５は、通信端末５がデータ通信網４経由で主装置１に接続する際に必要となる主装置１を特定する情報（インターネットで使用されるＵＲＬ等）を記憶する機能を有する。更に、着信呼が主装置１から到来したものであるかを判定する際に照合する、主装置１の１以上の電話番号を記憶する機能を有してもよい。記憶する電話番号は全桁である必要はなく、例えば、主装置１の電話番号が「０３ＸＸＸＸ１１１０」、「０３ＸＸＸＸ１１１１」、…「０３ＸＸＸＸ１１１９」のように末尾１桁のみが異なる１０種類である場合は１０個の電話番号を登録する必要はなく、「０３ＸＸＸＸ１１１」の末尾１桁の除いた９桁の電話番号１個を記憶する方式にしてもよい。なお、着信呼が主装置１からのものでない場合に主装置１に発信元情報要求を送信した場合、主装置１の通信端末判定部１１１が通信端末５の接続を許可し通信端末５からの発信元情報要求を受信したとしても、「発信元情報なし」を示す情報が発信元情報の代わりに主装置１から通知されるため、主装置１の電話番号は必ずしも記憶する必要はない。
【００４４】
発信元情報要求送信部５０６は、着信呼が到来したことを示す情報を電話機能部５０２から取得したときに、データ通信網Ｉ／Ｆ部５０３を介してデータ通信網４経由で主装置１に発信元情報要求を送信する機能を有する。なお、発信元情報要求の送信に先立ち、主装置情報記憶部５０５に記憶している主装置１を特定する情報（インターネットで使用されるＵＲＬ等）および主装置接続用端末情報記憶部５０４に記憶している通信端末５を特定する固有の情報（ログインＩＤ、ログインパスワード等）を用いて主装置１に対して接続要求を行う。なお、着信呼が到来した際に、当該着信呼の発信者番号が主装置情報記憶部５０５に記憶している電話番号に該当するかを判定し、該当する場合は主装置１に到来した着信呼の転送であると判断できるため、該当する場合に限定して主装置１へ接続を行い発信元情報要求を送信してもよい。前記電話番号の判定は、全桁一致とする必要はなく、当該着信呼の発信者番号の前方部分が主装置情報記憶部５０５に記憶している電話番号全桁に一致していれば一致と判定してもよい。例えば、当該着信呼の発信者番号が「０３ＸＸＸＸ１１１１」（１０桁）で転送元電話番号記憶手段５０５に記憶している電話番号が「０３ＸＸＸＸ１１１」（９桁）の場合は、一致と判定する。
【００４５】
発信元情報受信部５０７は、主装置１がデータ通信網４経由で送信した発信元情報を、データ通信網Ｉ／Ｆ部５０３を介して受信する機能を有する。
【００４６】
発信元情報表示部５０８は、発信元情報受信部５０７が受信した発信元情報を通信端末５のディスプレイ部（図示せず）に表示する機能を有する（発信元が内線端末２Ａの場合の一例を図６、発信元が外線の相手端末７の場合の一例を図７および図８に示す）。ただし、「発信元情報なし」を示す情報を受信した場合は、ディスプレイ部への表示処理は行わない。
【００４７】
着信応答有無判定部５０９は、電話機能部５０２が通信端末５に到来した着信呼に対して応答したか応答しなかったかを判定する機能を有する。
【００４８】
発信元情報受信履歴記憶部５１０は、主装置１から通知され発信元情報受信部５０７が受信した発信元情報（少なくとも発信元番号）を記憶する機能を有し、更に着信応答有無判定部５０９の応答または不応答の判定結果を踏まえて、発信元情報に対して応答または不応答の応答有無識別情報も付与する。
【００４９】
発信先電話番号記憶部５１１は、発信元情報受信履歴発信処理部５１２が発信処理を行う際に発信先となる主装置１の電話番号を記憶する機能を有しており、主装置１が通信端末５からの着信呼を検出した際に、一次応答してプッシュ信号受信状態に移行が可能な主装置１側の電話番号を記憶しておく。
【００５０】
発信元情報受信履歴発信処理部５１２は、発信元情報受信履歴記憶部５１０に記憶している主装置１から通知された発信元情報に含まれている発信元番号（内線番号または電話番号）に対して発信処理を行う機能を有する。本発明の実施形態では、前記発信元情報受信履歴記憶部５１０に記憶している発信元番号に対して直接発信は行わず、主装置１を中継して発信する方式とするため、発信先電話番号記憶部５１１に記憶している主装置１の電話番号宛の発信処理を電話機能部５０２に対して指示し、主装置１が一次応答してプッシュ信号受信状態に移行して応答信号を返送したことを示す情報を電話機能部５０２から取得すると、前記発信元情報受信履歴記憶部５１０に記憶している発信元番号をプッシュ信号で送出する処理を電話機能部５０２に対して指示する。
【００５１】
次に、本発明に係る内線端末２Ａから到来した着信呼を通信端末５に転送し、主装置１が発信元情報を通信端末５に通知し、通話に至るまでの流れを、図２のシーケンス図にて説明する。本実施例では、主装置１の電話番号は「０３ＸＸＸＸ１１１１」、内線端末２Ａの内線番号は「１０１」、内線端末２Ａの発信先である内線端末２Ｂの内線番号は「１０２」、通信端末５の電話番号は「０９０ＸＸＸＸ２２２２」として説明している。また、内線端末２Ｂに着信呼が到来時は電話番号「０９０ＸＸＸＸ２２２２」の通信端末５宛に転送するよう事前設定されているとする。なお、各ステップの順番は一例を示すものであり、作用・効果を変更しない範囲で任意に入れ替えても良い。
【００５２】
内線端末２Ａが主装置１の内線端末２Ｂの内線番号「１０２」に対して発信処理を行う（Ｓ１００１）と、内線端末２Ａから内線端末２Ｂの内線番号「１０２」に対する内線発信要求が主装置１に到来する（Ｓ１００２）。
【００５３】
主装置１の着信転送処理部１０５は、Ｓ１００２の内線発信要求の発信先が内線端末２Ｂであることから外線への転送と判断し（Ｓ１００３）、前記内線端末２Ｂに対応する転送先である通信端末５の電話番号「０９０ＸＸＸＸ２２２２」を転送先情報記憶部１０６より取得し、呼制御部１０４に対して通信端末５の電話番号宛の着信転送処理を指示する（Ｓ１００４）。
【００５４】
Ｓ１００４で着信転送処理を指示された呼制御部１０４は、電話網３に発信要求を電話網Ｉ／Ｆ部１０２を介して送信する（Ｓ１００５）と、Ｓ１００５の発信要求に対応する着信呼が電話網３および携帯電話網６経由で通信端末５に到来する（Ｓ１００６）。Ｓ１００６で通信端末に到来する着信呼の発番号は、電話網３および携帯電話網６の規制のため、Ｓ１００５で発信要求を行った前記主装置１の電話番号「０３ＸＸＸＸ１１１１」となり、Ｓ１００１で発信処理を行った内線端末２Ａの内線番号「１０１」は通知されない。
【００５５】
Ｓ１００６で着信呼が到来した通信端末５の電話機能部５０２が着信処理を開始すると、発信元情報要求送信部５０６は電話機能部５０２からの情報で着信呼の到来を検出する（Ｓ１００７）。
【００５６】
Ｓ１００７で着信呼の到来を検出すると、発信元情報要求送信部５０６は発信元情報要求の送信に先立ち、主装置情報記憶部５０５が記憶している主装置１を特定する情報（インターネットで使用されるＵＲＬ等）および主装置接続用端末情報記憶部５０４が記憶している通信端末５を特定する固有の情報（ログインＩＤ、ログインパスワード等）を用いて主装置１に対して接続要求送信処理を行う（Ｓ１００８）。なお、図２では記載していないが、通信端末５の主装置情報記憶部５０５が主装置１の１以上の電話番号を記憶している場合は、Ｓ１００６で電話機能部５０２に到来した着信呼の発番号が主装置情報記憶部５０５に記憶している電話番号の何れかと一致するときのみ、主装置１に対してＳ１００８の接続要求送信処理を行い、一致しない場合は主装置１からの発信元情報を取得できないのは明白であるため、Ｓ１００８からＳ１０１７およびＳ１０２０を行わない処理としてもよい。
【００５７】
Ｓ１００８で送信した接続要求は、通信端末５のデータ通信網Ｉ／Ｆ部５０３を介してデータ通信網４経由で主装置１に送信され、主装置１のデータ通信網Ｉ／Ｆ部１０３を介して接続要求が通信端末判定部１１１に到来する（Ｓ１００９）。実際には、通信端末５が接続要求を主装置１に送信後、主装置１は認証情報要求（いわゆるログイン画面を表示するための情報）を通信端末５に送信し、通信端末５は認証情報要求に対して通信端末５を特定する固有の情報を主装置１に送信する手順となるが、公知のため本図では省略している。
【００５８】
通信端末判定部１１１は、Ｓ１００９で到来した接続要求に含まれる通信端末５を特定する固有の情報と、通信端末固有情報記憶部１０７に記憶している情報との照合を行い、Ｓ１００８で接続要求を送信した通信端末５の接続許可または接続不許可を判定する（Ｓ１０１０）。
【００５９】
Ｓ１０１０の判定結果が接続許可であれば、通信端末判定部１１１は接続許可を示す情報を主装置１のデータ通信網Ｉ／Ｆ部１０３を介してデータ通信網４経由で通信端末５に送信し、通信端末５のデータ通信網Ｉ／Ｆ部５０３を介して接続許可を示す情報が発信元情報要求送信部５０６に到来する（Ｓ１０１１）。なお、Ｓ１０１０の判定結果が接続不許可の場合は図示していないが、通信端末判定部１１１は接続不許可を示す情報を通信端末５に送信する。
【００６０】
Ｓ１０１１で接続許可を示す情報が到来した発信元情報要求送信部５０６は、発信元情報要求を示すコマンドの送信処理を主装置１に対して行う（Ｓ１０１２）。
【００６１】
Ｓ１０１２で送信した発信元情報要求を示すコマンドは、通信端末５のデータ通信網Ｉ／Ｆ部５０３を介してデータ通信網４経由で主装置１に送信され、主装置１のデータ通信網Ｉ／Ｆ部１０３を介して発信元情報要求を示すコマンドが発信元情報要求受信部１１２に到来する（Ｓ１０１３）。
【００６２】
Ｓ１０１３で発信元情報要求を示すコマンドが到来した発信元情報要求受信部１１２は、Ｓ１００４の着信転送処理に該当する発信元情報の抽出を発信元情報抽出部１１３に対して指示し、発信元情報抽出部１１３は発信元情報抽出処理を行う。発信元情報抽出処理は、図１の発信元情報抽出部１１３の説明で記載のとおり行われ、Ｓ１００４の転送先である通信端末５に通知する発信元情報（発信元番号と名称およびまたは付加情報）が決定する（Ｓ１０１４）。
【００６３】
Ｓ１０１４で発信元情報が決定すると、発信元情報送信部１１４は決定した発信元情報送信処理を行う（Ｓ１０１５）。本実施例では、発信元番号はＳ１００２の内線発信要求を行った内線端末２Ａの内線番号「１０１」となり、電話帳記憶部１１０から電話帳情報照合部１０９経由で抽出した名称は一例として「佐藤係長」、付加情報はなしとしている。
【００６４】
Ｓ１０１５で送信した発信元情報は、主装置１のデータ通信網Ｉ／Ｆ部１０３を介してデータ通信網４経由で通信端末５に送信され、通信端末５のデータ通信網Ｉ／Ｆ部５０３を介して発信元情報が発信元情報受信部５０７に到来する（Ｓ１０１６）。
【００６５】
発信元情報受信部５０７は、Ｓ１０１６で到来した発信元情報の表示を発信元情報表示部５０８に対して指示し、発信元情報表示部５０８は通信端末５のディスプレイ部に発信元情報を表示する（表示例は図６）（Ｓ１０１７）。
【００６６】
Ｓ１０１７で発信元情報を表示後、電話機能部５０２がＳ１００７で着信処理を開始した着信呼に対する応答処理を行うと（Ｓ１０１８）、応答情報が携帯電話網Ｉ／Ｆ部５０１を介して送信され、携帯電話網６および電話網３経由で主装置１に到来する（Ｓ１０１９）。
【００６７】
また、Ｓ１０１６で到来した発信元情報（少なくとも発信元番号）は、着信応答有無判定部５０９が判定した電話機能部５０２の応答処理有無の結果と共に、発信元情報受信履歴記憶部５１０に記憶される（Ｓ１０２０）。
【００６８】
Ｓ１０１９で主装置１に到来した応答情報は、電話網Ｉ／Ｆ部１０２を介して呼制御部１０４に通知され、呼制御部１０４はＳ１００２の発信要求を行った内線端末２ＡとＳ１００５で通信端末５宛の発信要求を行った電話網Ｉ／Ｆ部１０２との呼接続処理を行い（Ｓ１０２１）、内線端末２Ａと通信端末５との通話が成立する（Ｓ１０２２）。
【００６９】
次に、本発明に係る相手端末７から電話網３経由で到来した着信呼を通信端末５に転送し、主装置１が発信元情報を通信端末５に通知し、通話に至るまでの流れを、図３のシーケンス図にて説明する。本実施例では、相手端末７からの着信呼が到来する電話網を電話網３ａ、通信端末に転送する際に使用する電話網を電話網３ｂ、主装置１の電話番号は「０３ＸＸＸＸ１１１１」、相手端末７の電話番号は「０３ＸＸＸＸ３３３３」、通信端末５の電話番号は「０９０ＸＸＸＸ２２２２」として説明している。また、主装置１の電話番号「０３ＸＸＸＸ１１１１」へ着信呼が到来時や、主装置１の内線端末２ＡへダイヤルインまたはＤＩＤで着信呼（相手端末７は「０３ＸＸＸＸ１１１１」以外の主装置１の電話番号に発信する）が到来時は、共に電話番号「０９０ＸＸＸＸ２２２２」の通信端末５に転送するよう事前設定されているとする。ここでは、電話番号「０３ＸＸＸＸ１１１１」へ着信呼が到来時の転送先と、内線端末２Ａの内線番号へダイヤルインまたはＤＩＤで着信呼が到来時の転送先は、共通の通信端末５（電話番号「０９０ＸＸＸＸ２２２２」）としているが、転送先は共通でなくても構わない。なお、各ステップの順番は一例を示すものであり、作用・効果を変更しない範囲で任意に入れ替えても良い。
【００７０】
相手端末７が主装置１の電話番号「０３ＸＸＸＸ１１１１」に対して発信操作、または主装置１の「０３ＸＸＸＸ１１１１」以外の電話番号を使って内線端末２Ｂに対するダイヤルインまたはＤＩＤの発信処理を行う（Ｓ２００１）と、相手端末７から発信要求が電話網３ａに対して送出され（Ｓ２００２）、電話網３ａ経由で外線着信呼が主装置１に到来する（Ｓ２００３）。
【００７１】
主装置１の着信転送処理部１０５は、Ｓ２００３の着信呼が電話番号「０３ＸＸＸＸ１１１１」への着信、または内線端末２Ｂへのダイヤルイン着信またはＤＩＤ着信であることから外線への転送と判断し（Ｓ２００４）、前記電話番号「０３ＸＸＸＸ１１１１」または前記内線端末２Ｂに対応する転送先である通信端末５の電話番号「０９０ＸＸＸＸ２２２２」を転送先情報記憶部１０６より取得し、呼制御部１０４に対して通信端末５の電話番号宛の着信転送処理を指示する（Ｓ２００５）。
【００７２】
Ｓ２００５で着信転送処理を指示された呼制御部１０４は、電話網３ｂに発信要求を電話網Ｉ／Ｆ部１０２を介して送信する（Ｓ２００６）と、Ｓ２００６の発信要求に対応する着信呼が電話網３ｂおよび携帯電話網６経由で通信端末５に到来する（Ｓ２００７）。Ｓ２００７で通信端末に到来する着信呼の発番号は、電話網３ｂおよび携帯電話網６の規制のため、Ｓ２００６で発信要求を行った前記主装置１の電話番号「０３ＸＸＸＸ１１１１」となり、Ｓ２００１で発信処理を行った相手端末７の電話番号「０３ＸＸＸＸ３３３３」は通知されない。
【００７３】
Ｓ２００７で着信呼が到来した通信端末５の電話機能部５０２が着信処理を開始すると、発信元情報要求送信部５０６は電話機能部５０２からの情報で着信呼の到来を検出する（Ｓ２００８）。
【００７４】
Ｓ２００８で着信呼の到来を検出すると、発信元情報要求送信部５０６は発信元情報要求の送信に先立ち、主装置情報記憶部５０５が記憶している主装置１を特定する情報（インターネットで使用されるＵＲＬ等）および主装置接続用端末情報記憶部５０４が記憶している通信端末５を特定する固有の情報（ログインＩＤ、ログインパスワード等）を用いて主装置１に対して接続要求送信処理を行う（Ｓ２００９）。なお、図３では記載していないが、通信端末５の主装置情報記憶部５０５が主装置１の１以上の電話番号を記憶している場合は、Ｓ２００７で電話機能部５０２に到来した着信呼の発番号が主装置情報記憶部５０５に記憶している電話番号の何れかと一致するときのみ、主装置１に対してＳ２００９の接続要求送信処理を行い、一致しない場合は主装置１からの発信元情報を取得できないのは明白であるため、Ｓ２００９からＳ２０１８およびＳ２０２１を行わない処理としてもよい。
【００７５】
Ｓ２００９で送信した接続要求は、通信端末５のデータ通信網Ｉ／Ｆ部５０３を介してデータ通信網４経由で主装置１に送信され、主装置１のデータ通信網Ｉ／Ｆ部１０３を介して接続要求が通信端末判定部１１１に到来する（Ｓ２０１０）。実際には、通信端末５が接続要求を主装置１に送信後、主装置１は認証情報要求（いわゆるログイン画面を表示するための情報）を通信端末５に送信し、通信端末５は認証情報要求に対して通信端末５を特定する固有の情報を主装置１に送信する手順となるが、公知のため本図では省略している。
【００７６】
通信端末判定部１１１は、Ｓ２０１０で到来した接続要求に含まれる通信端末５を特定する固有の情報と、通信端末固有情報記憶部１０７に記憶している情報との照合を行い、Ｓ２００９で接続要求を送信した通信端末５の接続許可または接続不許可を判定する（Ｓ２０１１）。
【００７７】
Ｓ２０１１の判定結果が接続許可であれば、通信端末判定部１１１は接続許可を示す情報を主装置１のデータ通信網Ｉ／Ｆ部１０３を介してデータ通信網４経由で通信端末５に送信し、通信端末５のデータ通信網Ｉ／Ｆ部５０３を介して接続許可を示す情報が発信元情報要求送信部５０６に到来する（Ｓ２０１２）。なお、Ｓ２０１１の判定結果が接続不許可の場合は図示していないが、通信端末判定部１１１は接続不許可を示す情報を通信端末５に送信する。
【００７８】
Ｓ２０１２で接続許可を示す情報が到来した発信元情報要求送信部５０６は、発信元情報要求を示すコマンドの送信処理を主装置１に対して行う（Ｓ２０１３）。
【００７９】
Ｓ２０１３で送信した発信元情報要求を示すコマンドは、通信端末５のデータ通信網Ｉ／Ｆ部５０３を介してデータ通信網４経由で主装置１に送信され、主装置１のデータ通信網Ｉ／Ｆ部１０３を介して発信元情報要求を示すコマンドが発信元情報要求受信部１１２に到来する（Ｓ２０１４）。
【００８０】
Ｓ２０１４で発信元情報要求を示すコマンドが到来した発信元情報要求受信部１１２は、Ｓ２００５の着信転送処理に該当する発信元情報の抽出を発信元情報抽出部１１３に対して指示し、発信元情報抽出部１１３は発信元情報抽出処理を行う。発信元情報抽出処理は、図１の発信元情報抽出部１１３の説明で記載のとおり行われ、Ｓ２００５の転送先である通信端末５に通知する発信元情報（発信元番号と名称およびまたは付加情報）が決定する（Ｓ２０１５）。
【００８１】
Ｓ２０１５で発信元情報が決定すると、発信元情報送信部１１４は決定した発信元情報の送信処理を行う（Ｓ２０１６）。本実施例では、発信元番号はＳ２００２の発信要求を行った相手端末７の電話番号「０３ＸＸＸＸ３３３３」となり、電話帳記憶部１１０から電話帳情報照合部１０９経由で抽出した名称は一例として「○×商事」、付加情報は一例として「重要顧客」としている。
【００８２】
Ｓ２０１６で送信した発信元情報は、主装置１のデータ通信網Ｉ／Ｆ部１０３を介してデータ通信網４経由で通信端末５に送信され、通信端末５のデータ通信網Ｉ／Ｆ部５０３を介して発信元情報が発信元情報受信部５０７に到来する（Ｓ２０１７）。
【００８３】
発信元情報受信部５０７は、Ｓ２０１７で到来した発信元情報の表示を発信元情報表示部５０８に対して指示し、発信元情報表示部５０８は通信端末５のディスプレイ部に発信元情報を表示する（表示例は図７）（Ｓ２０１８）。
【００８４】
Ｓ２０１８で発信元情報を表示後、電話機能部５０２がＳ２００８で着信処理を開始した着信呼に対する応答処理を行うと（Ｓ２０１９）、応答情報が携帯電話網Ｉ／Ｆ部５０１を介して送信され、携帯電話網６および電話網３ｂ経由で主装置１に到来し、更にＳ２００３で着信呼が到来した主装置１の電話網Ｉ／Ｆ部１０２は、Ｓ２００３で応答情報を送信していない場合（ＤＩＤ着信の場合は応答情報を送信済）に限って応答情報を電話網３ａに送信する（Ｓ２０２０）。
【００８５】
また、Ｓ２０１７で到来した発信元情報（少なくとも発信元番号）は、着信応答有無判定部５０９が判定した電話機能部５０２の応答処理有無の結果と共に、発信元情報受信履歴記憶部５１０に記憶される（Ｓ２０２１）。
【００８６】
Ｓ２０２０で主装置１に到来した応答情報は、電話網Ｉ／Ｆ部１０２を介して呼制御部１０４に通知され、呼制御部１０４はＳ２００３で相手端末７からの着信呼が到来した電話網Ｉ／Ｆ部１０２とＳ２００６で通信端末５宛の発信要求を行った電話網Ｉ／Ｆ部１０２との呼接続処理を行い（Ｓ２０２２）、相手端末７と通信端末５との通話が成立する（Ｓ２０２３）。
【００８７】
次に、本発明に係る主装置１において、内線着信呼が到来時、または特定内線宛の外線着信呼が到来時、または特定内線宛以外の外線着信呼が到来時に、着信呼を電話網３経由で通信端末５に転送し、発信元情報をデータ通信網４経由で通信端末５に送信し、発信元と通信端末５との通話路の接続が完了するまでの処理の流れを、図４のフローチャートにて説明する。通話路の接続完了後は、外線、内線、転送先等からの切断処理により通話路が解放されるが、本発明に係る主装置１内の処理でないため図４では省略している。また、図４は本発明に係る主装置１において、内線着信呼が到来時、または特定内線宛の外線着信呼が到来時、または特定内線宛以外の外線着信呼が到来時の処理に限定して記載している。なお、図４において、各ステップの順番は一例を示すものであり、作用・効果を変更しない範囲で任意に入れ替えても良い。
【００８８】
主装置１の呼制御部１０４は、内線着信呼が到来したか（Ｓ３００１）、特定内線宛の外線着信呼が到来したか（Ｓ３１０１）、特定内線宛以外の外線着信呼が到来したか（Ｓ３２０１）を、監視している。
【００８９】
Ｓ３００１で内線着信呼が到来した場合（Ｙｅｓ）、着信転送処理部１０５は当該着信呼の宛先内線が外線転送を行う設定になっているか分析する（Ｓ３００２）。
【００９０】
Ｓ３００２の分析結果が外線転送を行う設定になっていない場合（Ｎｏ）、Ｓ３００１で到来した内線着信呼の宛先内線の呼出処理を行い（Ｓ３００３）、本発明に係る主装置１内の処理は終了となる。
【００９１】
Ｓ３００２の分析結果が外線転送を行う設定になっている場合（Ｙｅｓ）、着信転送処理部１０５は、Ｓ３００１で到来した内線着信呼の宛先内線に対応する転送先である通信端末５の電話番号を転送先情報記憶部１０６より取得する（Ｓ３００４）。
【００９２】
Ｓ３００４に続けて着信転送処理部１０５は、Ｓ３００４で取得した通信端末５の電話番号宛の着信転送処理を呼制御部１０４に対して指示し、呼制御部１０４は電話網３に対する発信要求を電話網Ｉ／Ｆ部１０２を介して送信する（Ｓ３００５）。
【００９３】
呼制御部１０４は、Ｓ３００５の通信端末５に対する着信転送処理の元となったＳ３００１で到来した内線着信呼の発信元である内線端末２Ａの内線番号を発信元番号として、転送先の通信端末５の電話番号と対にして発信元番号記憶部１０８に記憶する（Ｓ３００６）。なお、通信端末固有情報記憶部１０７が記憶している情報を参照し、前記転送先の通信端末５の電話番号の代わりに前記転送先の通信端末５と連携する内線端末２Ｂの内線番号を記憶してもよい。
【００９４】
通信端末判定部１１１は、通信端末５からデータ通信網４経由で送信される接続要求を受信したか常時監視している（Ｓ３００７）。
【００９５】
Ｓ３００７で接続要求を受信した場合（Ｙｅｓ）、通信端末判定部１１１は、接続要求に含まれる通信端末５を特定する固有の情報と、通信端末固有情報記憶部１０７に記憶している情報との照合により、通信端末５の接続の許可／不許可を判定する（Ｓ３００８）。
【００９６】
Ｓ３００８で通信端末５の接続を許可した場合（Ｙｅｓ）、発信元情報要求受信部１１２は、通信端末５から送信される発信元情報要求を受信する（Ｓ３００９）。
【００９７】
Ｓ３００９で発信元情報要求を受信すると、発信元情報抽出部１１３は発信元情報を生成するため、Ｓ３００６で記憶した発信元である内線端末２Ａの内線番号を発信元番号記憶部１０８より抽出し、電話帳情報照合部１０９経由で前記抽出した内線端末２Ａの内線番号に該当する名称およびまたは付加情報を電話帳記憶部１１０より抽出し、発信元情報送信部１１４は、発信元情報抽出部１１３が生成した発信元情報をデータ通信網Ｉ／Ｆ部１０３を介して通信端末５宛に送信する（Ｓ３０１０）。
【００９８】
Ｓ３０１０の発信元情報送信処理後は、転送先である通信端末５から電話網４経由で応答情報が送信されるため、呼制御部１０４は応答情報を受信したかを監視する（Ｓ３０１１）。
【００９９】
Ｓ３００７で接続要求を受信しなかった場合（Ｎｏ）や、Ｓ３００８で通信端末５の接続を許可しなかった場合（Ｎｏ）は、Ｓ３００９からＳ３０１０の処理を行わずにＳ３０１１に移行する。
【０１００】
Ｓ３０１１で応答情報を受信した場合（Ｙｅｓ）、呼制御部１０４はＳ３００１で着信呼が到来した内線とＳ３００５の着信転送処理で発信を行った電話網Ｉ／Ｆ部１０２との接続処理を行う（Ｓ３０１２）。
【０１０１】
Ｓ３０１１で応答情報を受信できない場合（Ｎｏ）は、着信呼が停止していないかも監視し（Ｓ３０１３）、着信呼が停止した場合（Ｙｅｓ）は処理を終了し、着信呼が停止していない場合（Ｎｏ）はＳ３０１１の処理に戻る。
【０１０２】
Ｓ３００１で内線着信呼が到来せず（Ｎｏ）、Ｓ３１０１で特定内線宛の外線着信呼が到来した場合（Ｙｅｓ）、着信転送処理部１０５は当該着信呼の宛先内線が外線転送を行う設定になっているか分析する（Ｓ３１０２）。
【０１０３】
Ｓ３１０２の分析結果が外線転送を行う設定になっていない場合（Ｎｏ）、Ｓ３１０１で到来した外線着信呼の宛先内線の呼出処理を行い（Ｓ３１０３）、本発明に係る主装置１内の処理は終了となる。
【０１０４】
Ｓ３１０２の分析結果が外線転送を行う設定になっている場合（Ｙｅｓ）、着信転送処理部１０５は、Ｓ３１０１で到来した外線着信呼の宛先内線に対応する転送先である通信端末５の電話番号を転送先情報記憶部１０６より取得する（Ｓ３１０４）。
【０１０５】
Ｓ３１０４に続けて着信転送処理部１０５は、Ｓ３１０４で取得した通信端末５の電話番号宛の着信転送処理を呼制御部１０４に対して指示し、呼制御部１０４は電話網３に対する発信要求を電話網Ｉ／Ｆ部１０２を介して送信する（Ｓ３１０５）。
【０１０６】
呼制御部１０４は、Ｓ３１０５の通信端末５に対する着信転送処理の元となったＳ３１０１で到来した外線着信呼の発信元である相手端末７の電話番号を発信元番号として、転送先の通信端末５の電話番号と対にして発信元番号記憶部１０８に記憶する（Ｓ３１０６）。なお、通信端末固有情報記憶部１０７が記憶している情報を参照し、前記転送先の通信端末５の電話番号の代わりに前記転送先の通信端末５と連携する内線端末２Ｂの内線番号を記憶してもよい。
【０１０７】
通信端末判定部１１１は、通信端末５からデータ通信網４経由で送信される接続要求を受信したか常時監視している。（Ｓ３１０７）。
【０１０８】
Ｓ３１０７で接続要求を受信した場合（Ｙｅｓ）、通信端末判定部１１１は、接続要求に含まれる通信端末５を特定する固有の情報と、通信端末固有情報記憶部１０７に記憶している情報との照合により、通信端末５の接続の許可／不許可を判定する（Ｓ３１０８）。
【０１０９】
Ｓ３１０８で通信端末５の接続を許可した場合（Ｙｅｓ）、発信元情報要求受信部１１２は、通信端末５から送信される発信元情報要求を受信する（Ｓ３１０９）。
【０１１０】
Ｓ３１０９で発信元情報要求を受信すると、発信元情報抽出部１１３は発信元情報を生成するため、Ｓ３１０６で記憶した発信元である相手端末７の電話番号を発信元番号記憶部１０８より抽出し、電話帳情報照合部１０９経由で前記抽出した相手端末７の電話番号に該当する名称およびまたは付加情報を電話帳記憶部１１０より抽出し、発信元情報送信部１１４は、発信元情報抽出部１１３が生成した発信元情報をデータ通信網Ｉ／Ｆ部１０３を介して通信端末５宛に送信する（Ｓ３１１０）。
【０１１１】
Ｓ３１１０の発信元情報送信処理後は、転送先である通信端末５から電話網４経由で応答情報が送信されるため、呼制御部１０４は応答情報を受信したかを監視する（Ｓ３１１１）。
【０１１２】
Ｓ３１０７で接続要求を受信しなかった場合（Ｎｏ）や、Ｓ３１０８で通信端末５の接続を許可しなかった場合（Ｎｏ）は、Ｓ３１０９からＳ３１１０の処理を行わずにＳ３１１１に移行する。
【０１１３】
Ｓ３１１１で応答情報を受信した場合（Ｙｅｓ）、呼制御部１０４はＳ３１０１で着信呼が到来した電話網Ｉ／Ｆ部１０２とＳ３１０５の着信転送処理で発信を行った電話網Ｉ／Ｆ部１０２との接続処理を行う（Ｓ３１１２）。
【０１１４】
Ｓ３１１１で応答情報を受信できない場合（Ｎｏ）は、着信呼が停止していないかも監視し（Ｓ３１１３）、着信呼が停止した場合（Ｙｅｓ）は処理を終了し、着信呼が停止していない場合（Ｎｏ）はＳ３１１１の処理に戻る。
【０１１５】
Ｓ３１０１で特定内線宛の外線着信呼が到来せず（Ｎｏ）、Ｓ３２０１で特定内線宛以外の外線着信呼が到来した場合（Ｙｅｓ）、着信転送処理部１０５は当該着信呼が着信した外線が外線転送を行う設定になっているか分析する（Ｓ３２０２）。
【０１１６】
Ｓ３２０２の分析結果が外線転送を行う設定になっていない場合（Ｎｏ）、Ｓ３２０１で到来した外線着信呼に対する通常の着信処理（着信鳴動を設定している１以上の内線端末２を呼び出す等）を行い（Ｓ３２０３）、本発明に係る主装置１内の処理は終了となる。
【０１１７】
Ｓ３２０２の分析結果が外線転送を行う設定になっている場合（Ｙｅｓ）、着信転送処理部１０５は、Ｓ３２０１で到来した外線着信呼に対応する転送先である通信端末５の電話番号を転送先情報記憶部１０６より取得する（Ｓ３２０４）。
【０１１８】
Ｓ３２０４に続けて着信転送処理部１０５は、Ｓ３２０４で取得した通信端末５の電話番号宛の着信転送処理を呼制御部１０４に対して指示し、呼制御部１０４は電話網３に対する発信要求を電話網Ｉ／Ｆ部１０２を介して送信する（Ｓ３２０５）。
【０１１９】
呼制御部１０４は、Ｓ３２０５の通信端末５に対する着信転送処理の元となったＳ３２０１で到来した外線着信呼の発信元である相手端末７の電話番号を発信元番号として、転送先の通信端末５の電話番号と対にして発信元番号記憶部１０８に記憶する（Ｓ３２０６）。なお、通信端末固有情報記憶部１０７が記憶している情報を参照し、前記転送先の通信端末５の電話番号の代わりに前記転送先の通信端末５と連携する内線端末２Ｂの内線番号を記憶してもよい。
【０１２０】
通信端末判定部１１１は、通信端末５からデータ通信網４経由で送信される接続要求を受信したか常時監視している（Ｓ３２０７）。
【０１２１】
Ｓ３２０７で接続要求を受信した場合（Ｙｅｓ）、通信端末判定部１１１は、接続要求に含まれる通信端末５を特定する固有の情報と、通信端末固有情報記憶部１０７に記憶している情報との照合により、通信端末５の許可／不許可を判定する（Ｓ３２０８）。
【０１２２】
Ｓ３２０８で通信端末５の接続を許可した場合（Ｙｅｓ）、発信元情報要求受信部１１２は、通信端末５から送信される発信元情報要求を受信する（Ｓ３２０９）。
【０１２３】
Ｓ３２０９で発信元情報要求を受信すると、発信元情報抽出部１１３は発信元情報を生成するため、Ｓ３２０６で記憶した発信元である相手端末７の電話番号を発信元番号記憶部１０８より抽出し、電話帳情報照合部１０９経由で前記抽出した相手端末７の電話番号に該当する名称およびまたは付加情報を電話帳記憶部１１０より抽出し、発信元情報送信部１１４は、発信元情報抽出部１１３が生成した発信元情報をデータ通信網Ｉ／Ｆ部１０３を介して通信端末５宛に送信する（Ｓ３２１０）。
【０１２４】
Ｓ３２１０の発信元情報送信処理後は、転送先である通信端末５から電話網４経由で応答情報が送信されるため、呼制御部１０４は応答情報を受信したかを監視する（Ｓ３２１１）。
【０１２５】
Ｓ３２０７で接続要求を受信しなかった場合（Ｎｏ）や、Ｓ３２０８で通信端末５の接続を許可しなかった場合（Ｎｏ）は、Ｓ３２０９からＳ３２１０の処理を行わずにＳ３２１１に移行する。
【０１２６】
Ｓ３２１１で応答情報を受信した場合（Ｙｅｓ）、呼制御部１０４はＳ３２０１で着信呼が到来した電話網Ｉ／Ｆ部１０２とＳ３２０５の着信転送処理で発信を行った電話網Ｉ／Ｆ部１０２との接続処理を行う（Ｓ３２１２）。
【０１２７】
Ｓ３２１１で応答情報を受信できない場合（Ｎｏ）は、着信呼が停止していないかも監視し（Ｓ３２１３）、着信呼が停止した場合（Ｙｅｓ）は処理を終了し、着信呼が停止していない場合（Ｎｏ）はＳ３２１１の処理に戻る。
【０１２８】
次に、本発明に係る通信端末５において、携帯電話網６から着信呼が到来時に、データ通信網４経由で発信元情報を主装置１に対して要求し、データ通信網４経由で受信した主装置１からの発信元情報を表示し、発信元情報受信履歴を記憶するまでの処理の流れを、図５のフローチャートにて説明する。着信呼接続処理後は通話状態となり、通信端末５または発信元の内線端末２Ａや相手端末７の切断処理により呼は解放されるが、本発明に係る通信端末５内の処理でないため図５では省略している。また、図５は本発明に係る通信端末５において、着信呼が到来時の処理に限定して記載している。なお、図５において、各ステップの順番は一例を示すものであり、作用・効果を変更しない範囲で任意に入れ替えても良い。
【０１２９】
発信元情報要求送信部５０６は、電話機能部５０２からの情報により、着信呼が到来したかを監視している（Ｓ４００１）。
【０１３０】
Ｓ４００１で着信呼が到来した場合（Ｙｅｓ）、発信元情報要求送信部５０６は、主装置情報記憶部５０５に主装置１の１以上の電話番号を記憶しているか確認する（Ｓ４００２）。
【０１３１】
Ｓ４００２で電話番号を記憶している場合（Ｙｅｓ）、到来した着信呼の発番号は主装置情報記憶部５０５が記憶している電話番号と一致しているか照合する（Ｓ４００３）。
【０１３２】
Ｓ４００３が一致の場合（Ｙｅｓ）、発信元情報要求送信部５０６は、主装置情報記憶部５０５が記憶している主装置１を特定する情報（インターネットで使用されるＵＲＬ等）および主装置接続用端末情報記憶部５０４が記憶している通信端末５を特定する固有の情報（ログインＩＤ、ログインパスワード等）を用いて、主装置１に対して接続要求をデータ通信網４経由で送信する（Ｓ４００４）。
【０１３３】
Ｓ４００２で電話番号を記憶していない場合（Ｎｏ）は、Ｓ４００３の処理を行わずにＳ４００４に移行する。
【０１３４】
Ｓ４００４の接続要求後、主装置１から接続許可または接続不許可の判定結果を受信する（Ｓ４００５）。
【０１３５】
Ｓ４００５が接続許可の場合（Ｙｅｓ）、発信元情報要求送信部５０６は、主装置１に対して発信元情報要求をデータ通信網４経由で送信する（Ｓ４００６）。
【０１３６】
Ｓ４００６の発信元情報要求送信処理後、主装置１からデータ通信網４経由で発信元情報が送信されるため、発信元情報受信部５０７は発信元情報の受信処理を行い（Ｓ４００７）、発信元情報が取得できたか分析する（Ｓ４００８）。
【０１３７】
Ｓ４００６で発信元情報が取得できた場合（Ｙｅｓ）は、発信元情報表示部５０８は通信端末５のディスプレイ部に発信元情報を表示する（Ｓ４００９）。
【０１３８】
着信応答有無判定部５０９は、電話機能部５０２がＳ４００１で到来した着信呼に応答したか監視しており（Ｓ４０１０）、応答した場合（Ｙｅｓ）はＳ４００８で受信した発信元情報を「発信元情報受信履歴（応答）」として記憶し（Ｓ４０１１）、電話機能部５０２は着信呼の接続処理を行い、Ｓ４００１で到来した着信呼との通話状態に移行する（Ｓ４０１２）。
【０１３９】
Ｓ４０１０で着信呼に応答していない場合（Ｎｏ）は、着信呼が停止していないかも監視し（Ｓ４０１３）、着信呼が停止した場合（Ｙｅｓ）はＳ４００８で受信した発信元情報を「発信元情報受信履歴（不応答）」として記憶して処理を終了し（Ｓ４０１４）、着信呼が停止していない場合（Ｎｏ）はＳ４０１０の処理に戻る。
【０１４０】
Ｓ４００３で発番号が主装置情報記憶部５０５が記憶している電話番号と一致していない場合（Ｎｏ）や、Ｓ４００５で接続不許可の場合（Ｎｏ）や、Ｓ４００８で発信元情報を取得できない（主装置からは「発信元情報なし」を示すデータが送信される）場合（Ｎｏ）は、いずれもＳ４０１５の処理に移行する。
【０１４１】
Ｓ４０１５以降は電話機能部５０２の処理であり、本発明に係る通信端末５内の処理ではないが、Ｓ４０１５は着信呼に対する応答有無を監視し、Ｓ４０１７は着信停止有無を監視している。Ｓ４０１５で着信呼に応答した場合（Ｙｅｓ）は着信呼の接続処理を行い、Ｓ４００１で到来した着信呼との通話状態に移行する（Ｓ４０１６）。Ｓ４０１７で着信呼が停止した場合は処理を終了する。
【０１４２】
次に、本発明に係る通信端末５内の発信元情報表示部５０８が通信端末５のディスプレイ部に表示する形態の例を、図６から図８に示す。何れの表示も、主装置１から転送された着信呼であることを意味する「ＭＡ着信」（表示内容は一例）を表示し、「了解」部分を押下すると、図６から図８の表示を終了し、通信端末５の電話機能部５０２が表示する画面となり、着信応答すると通話状態となる。
【０１４３】
図６は内線着信呼到来時の発信元情報表示例であり、発信元内線番号「１０１」、発信元名称（主装置１の電話帳記憶部１１０が記憶している名称）「佐藤係長」を表示する。本例では表示していないが、主装置１の電話帳記憶部１１０に付加情報も記憶していれば、発信元名称の下に付加情報も表示する。
【０１４４】
図７は番号通知がある外線着信呼到来時の発信元情報表示例であり、発信元電話番号「０３ＸＸＸＸ３３３３」、発信元名称（主装置１の電話帳記憶部１１０が記憶している名称）「○×商事」を表示する。また、本例では主装置１の電話帳記憶部１１０に付加情報も記憶している場合を示しており、発信元名称の下に付加情報「重要顧客」も表示する。
【０１４５】
図８は非通知の外線着信呼到来時の発信元情報表示例であり、発信元電話番号の代わりに「非通知」を表示する。
【０１４６】
次に、本発明に係る通信端末５内の発信元情報受信履歴記憶部５１０に記憶している番号に対して主装置１経由で発信する場合の、通信端末５が前記発信元情報受信履歴記憶部５１０に記憶している番号を送出するまでの処理の流れを、図９のフローチャートにて説明する。主装置１側の処理は、公知技術であるプッシュ信号によるＤＩＤを利用するため、説明は省略する。なお、図９において、各ステップの順番は一例を示すものであり、作用・効果を変更しない範囲で任意に入れ替えても良い。
【０１４７】
発信元情報受信履歴発信処理部５１２は、ユーザ操作によって選択された発信元情報受信履歴記憶部５１０が記憶している番号を取得する（Ｓ５００１）。
【０１４８】
Ｓ５００１で番号を取得すると、発信元情報受信履歴発信処理部５１２は、発信先電話番号記憶部５１１に記憶している主装置１の電話番号を取得し、電話機能部５０２に対して主装置１宛の発信処理を指示し、電話機能部５０２は携帯電話網Ｉ／Ｆ部５０１を介して主装置１宛に発信処理を実行する（Ｓ５００２）。
【０１４９】
Ｓ５００２の実行後、発信元情報受信履歴発信処理部５１２は、主装置１からの応答信号を電話機能部５０２が受信したか監視し（Ｓ５００３）、応答信号を受信した場合（Ｙｅｓ）は、発信元情報受信履歴発信処理部５１２は、電話機能部５０２に対してＳ５００１で取得した番号をプッシュ信号にて送出するよう指示し、電話機能部５０２は当該番号をプッシュ信号にて携帯電話網Ｉ／Ｆ部５０１を介して主装置１宛に送信する（Ｓ５００５）。
【０１５０】
Ｓ５００３で応答信号を受信していない場合（Ｎｏ）は、Ｓ５００２を実行後に所定時間が経過したか監視しており（Ｓ５００４）、所定時間が経過した場合（Ｙｅｓ）はＳ５００５に移行する。
【０１５１】
Ｓ５００５実行後は、主装置１側にて、公知技術であるＤＩＤ機能によりプッシュ信号で送出されたダイヤルに該当する内線端末２または外線側の相手端末７の呼出、および前記内線端末２または相手端末７が応答後の通話路接続処理が行われて通信端末５と前記内線端末２または相手端末７との通話に移行する。
【符号の説明】
【０１５２】
１・・・主装置
１０１・・・内線端末Ｉ／Ｆ部
１０２・・・電話網Ｉ／Ｆ部
１０３・・・データ通信網Ｉ／Ｆ部
１０４・・・呼制御部
１０５・・・着信転送処理部
１０６・・・転送先情報記憶部
１０７・・・通信端末固有情報記憶部
１０８・・・発信元番号記憶部
１０９・・・電話帳情報照合部
１１０・・・電話帳記憶部
１１１・・・通信端末判定部
１１２・・・発信元情報要求受信部
１１３・・・発信元情報抽出部
１１４・・・発信元情報送信部
２・・・内線端末
３・・・電話網
４・・・データ通信網
５・・・通信端末
５０１・・・携帯電話網Ｉ／Ｆ部
５０２・・・電話機能部
５０３・・・データ通信網Ｉ／Ｆ部
５０４・・・主装置接続用端末情報記憶部
５０５・・・主装置情報記憶部
５０６・・・発信元情報要求送信部
５０７・・・発信元情報受信部
５０８・・・発信元情報表示部
５０９・・・着信応答有無判定部
５１０・・・発信元情報受信履歴記憶部
５１１・・・発信先電話番号記憶部
５１２・・・発信元情報受信履歴発信処理部
６・・・携帯電話網
７・・・相手端末
【図１】
2017092776.tif 000003
【図２】
2017092776.tif 000004
【図３】
2017092776.tif 000005
【図４】
2017092776.tif 000006
【図５】
2017092776.tif 000007
【図６】
2017092776.tif 000008
【図７】
2017092776.tif 000009
【図８】
2017092776.tif 000010
【図９】
2017092776.tif 000011